(57)【要約】補助情報を通信デバイスのユーザに備える方法を備える。通信デバイスのユーザが通信デバイスの音声ベースの電話会議中に一時保留動作モードにある期間中に補助情報が受信される（３２０）。補助情報は、ユーザにとって、可聴であるよう再生されたものと、可視であるよう再生されたものとの、少なくとも一方であり（３３０）、補助情報の分類はユーザによって予め選定される。
2005530455.tif 000002
【特許請求の範囲】
【請求項１】
通信デバイスによって用いられる補助情報を処理する方法であって：
該補助情報を、該通信デバイスが一時保留動作モードにある期間中に、受信する工程；及び
該補助情報を該通信デバイス上で再生する工程；
を有し；
該再生する工程が、可聴再生と可視再生とのうちの少なくとも１つを備える群から選定されることを特徴とする方法。
【請求項２】
請求項１記載の方法であって、更に：
入力をサービス・プロバイダに送信して、該通信デバイスが該一時保留動作モードにある旨を示す工程；
を備えることを特徴とする方法。
【請求項３】
請求項２記載の方法であって、更に、該入力が：
該通信デバイスによって自動的に行われる工程；
参加者が該通信デバイスを該一時保留動作モードにする工程；及び
ユーザが該通信デバイスを用いる工程；
のうちの少なくとも１つによって生成されることを特徴とする方法。
【請求項４】
請求項１記載の方法であって、該補助情報が：
電子メール、株価、天気予報、スポーツ・スコア、映画の予告編、商業広告、MP３、リアルオーディオ（商標）のファイル、ストリーミング・メディア・ファイル、メッセージング情報、SMSメッセージ、及び操作マルチメディア；
のうちの少なくとも１つに相当することを特徴とする方法。
【請求項５】
請求項１記載の方法であって、該通信デバイスが：
移動体通信デバイス、電話器、有線通信デバイス、VoIPベース電話を用いた通信デバイス、音声起動携帯情報端末；
のうちの少なくとも１つを備える群から選定されることを特徴とする方法。
【請求項６】
請求項１記載の方法であって、ユーザが、通信ベースの補助金の目的で、広告の前記再生する工程を、該一時保留状態にある間に、実行可能にすることを特徴とする方法。
【請求項７】
補助情報を通信デバイスに備える方法であって：
該通信デバイスが一時保留状態にある期間を検出する工程；及び
該補助情報を該通信デバイスに該期間中に送信する工程；
を有することを特徴とする方法。
【請求項８】
請求項７記載の方法であって、該検出する工程が音声電話会議中に自動的に行われることを特徴とする方法。
【請求項９】
請求項７記載の方法であって、該検出する工程が：
該通信デバイスから、該通信デバイスが該一時保留動作モードにある旨を示す少なくとも1つの入力を、受信する工程；
を有することを特徴とする方法。
【請求項１０】
請求項７記載の方法であって、該補助情報が：
電子メール、株価、天気予報、スポーツ・スコア、映画の予告編、商業広告、MP３、リアルオーディオ（商標）のファイル、ストリーミング・メディア・ファイル、メッセージング情報、SMSメッセージ、及び操作マルチメディア；
のうちの少なくとも１つに相当することを特徴とする方法。
【請求項１１】
請求項７記載の方法であって、該通信デバイスが：
移動体通信デバイス、電話器、有線通信デバイス、VoIPベース電話を用いた通信デバイス、音声起動携帯情報端末；
のうちの少なくとも１つを備える群から選定されることを特徴とする方法。
【請求項１２】
請求項７記載の方法であって、補助情報の分類が：
一時保留動作モードにされる前のユーザ入力；
補助情報サービスを利用可能にする時点でのユーザ入力；及び
該一時保留動作モードにされている間でのユーザ入力；
のうちの少なくとも１つによって選定されることを特徴とする方法。
【請求項１３】
通信デバイス用の装置であって：
該補助情報を、該通信デバイスが一時保留動作モードにある場合に、受信する受信器；及び
該補助情報を可聴であるように再生するデバイス；並びに
該補助情報を可視であるように再生するディスプレイ；
のうちの少なくとも１つ；
を備えることを特徴とする装置。
【請求項１４】
請求項13記載の装置であって、更に：
少なくとも1つのユーザ入力を受信する入力モジュール；及び
該少なくとも1つのユーザ入力で、該ユーザが該一時保留動作モードにある旨を示すもの、をサービス・プロバイダに送信する送信器；
を備えることを特徴とする装置。
【請求項１５】
請求項１３記載の装置であって、該補助情報が：
電子メール、株価、天気予報、スポーツ・スコア、映画の予告編、商業広告、MP３、リアルオーディオ（商標）のファイル、ストリーミング・メディア・ファイル、メッセージング情報、SMSメッセージ、及び操作マルチメディア；
のうちの少なくとも１つに相当することを特徴とする装置。
【請求項１６】
請求項１３記載の装置であって、該通信デバイスが：
移動体通信デバイス、電話器、有線通信デバイス、VoIPベース電話を用いた通信デバイス、音声起動携帯情報端末；
のうちの少なくとも１つを備える群から選定されることを特徴とする装置。
【請求項１７】
搬送波に実施されたデータ信号であって：
該データ信号が、通信デバイスが一時保留動作モードにある場合に、補助情報を再生するのに用いられるよう、通信システムに機能的に関連するものであり；
該一時保留動作モードにある該通信デバイスを識別するコード・セグメント；及び
該一時保留動作モードにある間に該通信デバイスが処理することができる該補助情報を識別するコード・セグメント；
を備えることを特徴とするデータ信号。
【請求項１８】
請求項１７記載のデータ信号であって、更に：
補助情報の分類に関する情報を備えるコード・セグメント；
を備えることを特徴とするデータ信号。
【請求項１９】
請求項１７記載のデータ信号であって、
移動体通信デバイス、電話器、有線通信デバイス、VoIPベース電話を用いた通信デバイス、音声起動携帯情報端末、３G対応システムに接続されたデバイス、パケット交換ネットワークに接続されたデバイス、及び回線交換ネットワークに接続されたデバイス；
のうちの少なくとも１つを備える群から選定されるデバイスによって生成されることを特徴とするデータ信号。
【請求項２０】
請求項１７記載のデータ信号であって、該補助情報のコンテンツが：
電子メール、株価、天気予報、スポーツ・スコア、映画の予告編、商業広告、MP３、リアルオーディオ（商標）のファイル、ストリーミング・メディア・ファイル、メッセージング情報、SMSメッセージ、及び操作マルチメディア；
のうちの少なくとも１つに相当することを特徴とするデータ信号。
【発明の詳細な説明】
【技術分野】
【０００１】
本発明は、一般的に、通信デバイスに関し、特に、補助情報を、通信デバイスのユーザに対して、ユーザが音声電話会議中に一時保留状態にある間に、備える方法及びデバイスに関する。
【背景技術】
【０００２】
電話コール又は音声会議のような通常の音声ベース電話会議では、一方の参加者が1つ又は複数の別の参加者で、各々が通信デバイスを用いるもの、を一時保留状態にすることがある。例えば、電話コールへの参加者は、第２参加者が着信電話コールを受信する場合（例えば、コール・ウェイティング）か、ある別の理由で、一時保留状態にされ得る。これによって、一時保留状態にある参加者によって送受信される情報が何もない、無音の期間が発生する。この無音の期間は通常、長くなることがあり、一時保留状態にされた参加者にとっては時間の無駄になるものである。
【発明の開示】
【発明が解決しようとする課題】
【０００３】
したがって、補助情報を通信デバイスのユーザに対して、そのユーザが音声電話会議中に一時保留状態にされている間に備える方法及び装置を有することが、望ましく、かつ、効果的なものである。
【課題を解決するための手段】
【０００４】
補助情報を通信デバイスのユーザに対して、そのユーザが音声電話会議中に一時保留状態にある間に、備える方法及び装置。
【発明を実施するための最良の形態】
【０００５】
本発明は補助情報を通信デバイスのユーザに、ユーザが音声電話会議中に一時保留状態にある間に、備える方法及び装置に関する。説明目的で、本発明は移動体通信デバイスに関して記載する。しかしながら、本発明はいずれかの種類の通信デバイスによって利用し得ることが分かり、この通信デバイスは、有線通信デバイス、電話器、音声起動携帯情報端末（PDA）、ボイス・オーバ・インターネット・プロトコル（VoIP）音声電話を利用する通信デバイスを含むが、それらに限定されるものでない。更に、本発明は本明細書及び特許請求の範囲において、1つ又は複数の移動体通信デバイス、移動体通信システム、及び移動体サービス・プロバイダに係わる移動体通信に関して記載する一方、本発明は更に、別の種類の通信、通信デバイス、通信システム、及びサービス・プロバイダに、本発明の趣旨及び範囲を維持しながら、適用可能であることが更に分かるものである。例えば、本発明は有線通信環境（例えば、公衆交換通信デバイス・ネットワーク（PSTN））、パケット交換通信デバイス・ネットワーク、移動体通信環境（例えば、セルラ電話器、携帯情報端末と一体化されたセルラ電話器、WIFI対応通信デバイス、３G対応通信環境、ブルートゥース（BLUETOOTH）（商標）対応通信デバイスなど、又はそれらのいずれかの組み合わせ）において利用し得る。本明細書及び特許請求の範囲記載の本発明の開示内容を基に、当業者は、これら及び種々の別の通信、通信デバイス、通信システム、及びサービス・プロバイダで、本発明を適用し得るもの、を、本発明の趣旨及び範囲を維持しながら、考案するものである。
【０００６】
本発明は、ハードウェア、ソフトウェア、ファームウェア、特定用途向けプロセッサ、又はそれらの組み合わせの、種々の形態で実現し得ることが分かる。好ましくは、本発明はハードウェアとソフトウェアとの組み合わせとして実現される。更に、ソフトウェアは好ましくは、プログラム記憶装置上に目に見えるかたちで実施されたアプリケーション・プログラムとして実現される。アプリケーション・プログラムは、何れかの適切なアーキテクチャを備えるマシンに対してアップロードし得るものであり、該マシンによって実行し得るものである。好ましくは、マシンは、1つ又は複数の中央処理装置（CPU）、ランダム・アクセス・メモリ（RAM）、及び入出力（I/O）インタフェースのようなハードウェアを有するコンピュータ・プラットフォーム上で実現される。コンピュータ・プラットフォームは更に、オペレーティング・システム及びマイクロ命令コードを含む。本明細書及び特許請求の範囲記載の種々の処理及び機能は、オペレーティング・システムを介して実行される、マイクロ命令コードの一部若しくはアプリケーション・プログラムの一部（又はそれらの組み合わせ）の何れかであり得る。更に、種々の別の周辺装置を別の記憶装置及び印刷装置のようなコンピュータ・プラットフォームに接続し得る。このプラットフォームは更に、別の接続通信デバイスに対して通信される通信パケットを送受信する機能を有する通信ネットワーク（例えば、ローカル・エリア・ネットワーク、インターネット）に接続し得る。
【０００７】
添付図面に表す、構成システム部分と構成方法工程、の一部は好ましくはソフトウェアで実現されるので、システム部分（又はシステム処理工程）間の実際の接続は本発明がプログラム化される方法によってかわってくることがあることが更に分かるものである。本明細書及び特許請求の範囲記載の開示内容を基に、当業者は、本発明のこれら及び同様な実現方法又は構成を考案することができるものである。本発明の特徴によって、補助情報を通信デバイスのユーザに備える方法を備える。通信デバイス音声電話会議中に通信デバイスのユーザが一時保留状態にある期間中に補助情報が受信される。補助情報は、ユーザにとって、可聴であるように再生されたものと可視であるように再生されたものとのうちの少なくとも一方のものである。
【０００８】
本発明の当該記載実施例については、本発明の一記載特徴によれば、補助情報を通信デバイスのユーザに備える方法を備える。期間はユーザの通信デバイスが一時保留状態にある場合に検出される。補助情報はユーザの通信デバイスに対して、該期間中に送信される。
【０００９】
本発明の更に別の特徴によれば、通信デバイス用装置を備えている。通信デバイスの受信器は補助情報を通信デバイスが検出一時保留モードにある場合に受信する。少なくとも１つのスピーカが補助情報を可聴であるように再生することと、かつ、ディスプレイが補助情報を可視であるように再生することとの両方又は何れかが行われる。
【００１０】
本発明の別の特徴によれば、補助情報を通信デバイスに備える装置を備える。通信デバイスは、補助情報を可聴であるように再生する少なくとも１つのスピーカと、補助情報を可視であるように再生するディスプレイとの両方又は何れかを有する。該装置は送信する補助情報の分類を特定するユーザ入力を受信する受信器、及び、通信デバイスに補助情報を、通信デバイスが一時保留モードにある場合に、送信する送信器を備える。
【００１１】
これら及び別の特徴、機能及び効果は、好適実施例の以下の詳細説明で、添付図面とともに検討する対象であるもの、から明らかになるものである。
【実施例】
【００１２】
図１は本発明を適用し得るコンピュータ処理システム１００のブロック図である。コンピュータ処理システム１００は、電話器、音声会議システム、VoIP対応デバイス、遠隔通信器などのような、通信デバイスの例を表すものであり、システム・バス１０４を介して別の構成部分に動作するよう結合された、少なくとも１つのプロセッサ（CPU）１０２を含む。読み取り専用メモリ（ROM）１０６、ランダム・アクセス・メモリ（RAM）１０８、キャッシュ１０９、ディスプレイ・アダプタ１１０、I/Oアダプタ１１２、ユーザ・インタフェース・アダプタ１１４、及びサウンド・アダプタ１７０はシステム・バス１０４に動作するよう結合される。
【００１３】
ディスプレイ装置１１６は、システム・バス１０４に、ディスプレイ・アダプタ１１０によって、動作するよう結合される。記憶装置１１８（例えば、磁気ディスク記憶装置又は光ディスク記憶装置、フラッシュ・メモリ、スマートカード、メモリ・スティックなど）は、システム・バス１０４に、I/Oアダプタ１１２によって、動作するよう結合される。
【００１４】
選定装置１２０（例えば、マウス、ジョイスティック、ジョイパッド、スクロール・ダイアルなど）及びキーパッド１２２は、システム・バス１０４に、ユーザ・インタフェース・アダプタ１１４によって、動作するよう結合される。選定装置１２０及びキーボード１２２はコンピュータ処理システム１００との情報の入出力を行うのに用い得る。
【００１５】
サウンド・アダプタ１７０は、少なくとも1つのスピーカ１８５をシステム・バス１０４に動作するよう結合する。
【００１６】
当業者は、通信デバイスを、図１に表すシステムの種々の修正において、当該表示構成要素を含めるか否かにかかわらず、実現し得る。
【００１７】
図２は本発明を適用し得る通信システム２０を示すブロック図である。
【００１８】
通信システム２００の構成要素の多くがそれらと一体化されたコンピュータ処理システムを有するものであることが分かる。そのようなコンピュータ処理システムは好ましくは、図１に表すものに対して（1つ又は複数の、同じ構成要素乃至類似した構成要素を有する）同じものか類似したものである。しかしながら、コンピュータ処理システムの別の変形を容易に当業者によって、本発明の趣旨及び範囲を維持しながら、利用し得るものである。
【００１９】
通信システム２００は通信経路を含み、この通信経路は以下：ユーザの通信デバイス２１０（以下「ユーザ通信デバイス」とも呼ぶ。）；別のユーザの別の通信デバイス２１５；基地局２２０；インターネット２３０；及びコンピュータ・サーバ２４０；によって形成される。コンピュータ・サーバ２４０は1つ又は複数のデータベースを含む。１つのコンピュータ・サーバを図２に表して図及び付随説明を単純化するようにしている一方、当業者は、インターネットが2つ以上のコンピュータ・サーバ、通信デバイス、及び関連デバイスに結合することを認識するものであることが分かる。代替的には、2つ以上のコンピュータ・サーバの間の接続は、ローカル・エリア・ネットワーク、イーサネット・ベースのネットワーク、ポイント・ツー・ポイント接続、有線ネットワーク、ワイド・エリア・ネットワーク、及び無線エリア・ネットワーク（ローカル、ワイド）の少なくとも１つを備え得る。通信デバイス２１０及び215は各々、少なくとも、補助情報を受信する受信器２９０、補助情報を可聴であるように再生する少なくとも1つのスピーカ２９９、補助情報を可視であるように再生するディスプレイ２９８、少なくとも1つのユーザ入力を受信する入力モジュール２９７、及び少なくとも1つのユーザ入力を送信する送信器２８８を含む。基地局２２０は通信デバイスのユーザが一時保留状態にあることを検出する検出装置２９１、補助情報の分類を特定する少なくとも1つのユーザ入力並びにユーザが一時保留状態にあることを示す別のユーザ入力を受信する受信器２９３、及びユーザが一時保留状態にあるものとして検出された場合に補助情報を送信する送信器２９４を含む。好ましくは、基地局２２０及び、通信デバイス２１０並びに２１５の間の通信は、無線で（データ・パケットのような）コード・セグメントを伴うデータ信号として搬送波によって伝送し得るが、本発明は、通信デバイス間の通信を促進する、有線、無線、又は別の種類の接続との整合性を有する別の実施例をサポートする。
【００２０】
本明細書及び特許請求の範囲記載の説明用実施例では、補助情報は、ユーザが一時保留状態にある場合に、ユーザに対して自動的に備えられる。代替的には、ユーザは、ユーザが一時保留状態にある場合に、補助情報を備えるよう要求し得る（例えば、ユーザは、ユーザが現在、一時保留状態にある旨を示す入力をサービス・プロバイダに送信する；この機能は、入力モジュール２９７のような入力手段によってサービス・プロバイダとの通信を介してオン乃至オフの状態にし得る。）。本明細書及び特許請求の範囲記載の本発明の開示内容を基に、当業者は本発明のこれら及び種々の別の実現方法を、本発明の趣旨及び範囲を維持しながら、考案するものである。
【００２１】
図３は通信デバイスに補助情報を備える方法を示す流れ図である。図３の方法は通信デバイスに関して行われる工程を説明するものである。通信デバイスは補助情報（例えば、電子メール、株価、天気予報、スポーツ・スコア、ニュース、及び別の情報）を受信する機能を有するものとする。本発明の一実施例では、テキスト・フォーマット（例えば、ASCII、HTML、XMLなど）の補助情報で、ロイター（Reuters）、アソシエーティド・プレス（Associated  Press）、及びユナイテッド・プレス・インターナショナル（United  Press  International）などのニュース・ソースからの情報フィードを受信する遠隔データベース２４０から送信されるもの、を転送する。任意的には、データベース２４０は、ニュース・サーバ、ウェブ・サイト、電子メールPOPサーバ、ファイル転送プロトコル・サイト、及び、ユニフォーム・リソース・インディケータ（URI）並びに/若しくはインターネット・プロトコル・アドレスを介してアクセスし得る別の関連サイトなどの、ソースからの情報をインターネット２３０を介して、ネットワーク接続によって受信する。更に、入力は、一時保留中にユーザによって受信される補助情報の分類を特定する；補助情報の分類の例は、電子メール、ニュース、映画の予告編、商業広告、野球の試合結果、バスケットボールの試合結果、ストリーム・マルチメディア・ファイル、及び関連する情報の形式などの例を含む。ユーザは任意的には、広告を補助情報ソースから、一時保留状態にある間に、自身の通信費の請求書に対する補助金を適用させる目的で、受信するよう選択し得る。
【００２２】
ユーザの通信デバイスによって、ユーザが通信デバイス音声電話会議中に一時保留状態にある場合に、受信される対象の補助情報を特定する入力が備えられる（送信される）（工程310）。この入力は、ユーザによって容易にアクセスし得る1つ又は複数のメニューを介して、可視のもの及び/又は可聴のものとして、備え得る。図３の説明用実施例によれば、工程３１０はいつでも行い得るものであり、それによってユーザが補助情報の何れかの先行選定内容（選定分類）を変更することを可能にする。しかしながら、図３の方法は補助情報がいつでも容易に修正し得るものとして記載しているが、本発明の別の実施例では、補助情報の選定内容は、ユーザがサービス・プロバイダに「加入する」時点か、当該補助情報機能をサービス・プロバイダとの間で最初に起動させる時点でサービス・プロバイダに備え得ることが分かる。そのような場合、補助情報は通信デバイスによって受信された入力によるもの以外の別の手段（例えば、書式又は別のドキュメント、口頭、電子メール経由、通常の郵便など）によって備え得る。当然、本発明は、補助情報を備えるには上記方法に限定されるものでない。すなわち、本明細書及び特許請求の範囲記載の本発明の開示内容を基に、当業者はこれら及び種々の別の方法を考案するものであり、これらの方法においては、ユーザは、ユーザが通信デバイス音声電話会議中に一時保留状態にある間に受信される対象の、補助情報及び補助情報分類を、本発明の趣旨及び範囲を維持しながら、選定し得る。補助情報の伝送内容は、例えば、通信デバイス２１０によって基地局２２０から２４０であるデータベース・ソースからのものが受信される。
【００２３】
ユーザが音声電話会議中に一時保留状態にある場合、補助情報がユーザの通信デバイスによって受信される（工程３２０）。補助情報の伝送内容は、例えば、データベース・ソースからのものが基地局２２０から通信デバイス２１０によって受信される。補助情報は音声電話会議中か、ユーザ要求によって、受信し得ることが分かる。例えば、工程３２０はユーザが現在一時保留状態にある旨を示すもう１つの入力をサービス・プロバイダに送信する工程を含み得る（工程320a）。この別の入力は送信対象の補助情報に対するユーザ要求をもたらす。
【００２４】
補助情報はユーザにとって、可聴であるもの及び/又は可視であるもの、であるように再生される（工程３３０）。例えば、補助情報を備えるテキスト情報はオーディオ形式で、少なくとも１つのスピーカ299上で音声合成ソフトウェア・プログラムによって出力される。代替的には、補助情報はマルチメディア・ファイル（例えば、MP3、リアル・オーディオ（Real  Audio）（商標）、又は別のストリーミング・メディア・フォーマット）からの音楽の形式で出力し得るものであり、それは、通信デバイス（例えば、RAM１０８又は記憶装置１１８）における記憶と、通信デバイスへのストリーミング並びに、通信デバイスの、スピーカ２９９による出力と、ディスプレイ２９９による表示との両方か何れかの実行、との何れかが行われる。補助情報は更に、ユーザによって、ユーザが一時保留状態にある間に、入力モジュール２９７を介して操作し得るマルチメディアを備え得る。操作マルチメディアの例にはビデオ・ゲーム、映画の予告編、マクロメディア・フラッシュ（Macromedia Flash）漫画、MPEG-4映画、MPEG-2メディア、ショート・メッセージング・サービス（SMS）などがある。効果的には、本発明によって、もし補助情報が備えられなければアイドル時間となる時間を代わりに補助情報を備えることによって使うことが可能になる。
【００２５】
図４は本発明の別の説明用実施例による、通信デバイスに補助情報を備える方法を示す。上記のように、図４の方法は通信デバイスのサービス・プロバイダに関して行われる工程を記載するものであり、通信デバイスに関して行われる工程を記載する上記図３の方法とは対照的なものである。
【００２６】
ユーザの通信デバイスに、ユーザが通信デバイス音声電話会議中に一時保留状態にある場合に、備える対象の補助情報の分類を特定するユーザ入力がユーザから受信される（工程４０５）。上記のように、工程４０５はいずれかの方法論を用いて行い得る。好ましくは、工程４０５はユーザの通信デバイスを用いて行われる（例えば、音声メニューによる、デュアル・トーン・マルチ周波数（DTMF）、音声並びに/若しくは話者の識別、制御信号など）。
【００２７】
ユーザが、ユーザと少なくとも１つの別の参加者との間の音声電話会議中に、一時保留状態にあるか否かが判定される（工程４１０）。工程４１０は自動的にサービス・プロバイダによってサービス・コード（例えば、PSTNサービス制御コード）を介して、ユーザからの入力のそのユーザ自身の通信デバイスを介した受信によるか、別の参加者を一時保留状態にしている参加者によって生成される信号（例えば、トーン、制御コード）によって、行い得る。代替的には、通信デバイス自体は、ユーザが一時保留状態にあることを、（音声会議の）オーディオ信号をサンプリングし、音量すなわち振幅が所定期間中、低い（所定閾値未満である）オーディオ信号は、ユーザが一時保留状態にある旨を表すことを判定し得る。通信デバイスは更に、補助情報を、ユーザが一時保留状態にある期間中は、送信するようサービス・プロバイダに通知し得る。同様に、サービス・プロバイダは、通信デバイスが補助データを受信するために、ユーザが一時保留状態にある旨を通信デバイスに通知するよう、（例えば、別のコーリング・サービスに利用されるような）異なる電圧レベルを使用し得るか、マルチセグメント化コードによってフォーマット化されたデータ信号（例えば、データ・パケットのヘッダ）を用い得る。
【００２８】
ユーザが一時保留状態にある期間中に、補助情報がユーザの通信デバイスに備えられる（工程４２０）。
【００２９】
説明用実施例を本明細書及び特許請求の範囲において添付図面を参照しながら記載したが、本発明はまさにそれらの実施例に限定されないものであり、種々の別の変更及び修正をそれらの実施例において、当業者によって、本発明の範囲若しくは趣旨から逸脱することなく行い得ることが分かる。そのような変更及び修正は全て、本特許請求の範囲記載の、本発明の範囲中に収まることを意図するものである。
【図面の簡単な説明】
【００３０】
【図１】コンピュータ処理システム１００のブロック図である。
【図２】通信システム２００を示すブロック図である。
【図３】通信デバイスに補助情報を備える方法を示す流れ図である。
【図４】通信デバイスに補助情報を備える方法を示す流れ図である。
【図１】
2005530455.tif 000003
【図２】
2005530455.tif 000004
【図３】
2005530455.tif 000005
【図４】
2005530455.tif 000006
【国際調査報告】
2005530455.tif 000007